(57)【要約】【課題】耐久性を有し長期間使用が可能で施工性に優れた仮囲い用木製パネルを提供することを目的とする。【解決手段】仮囲い用木製パネルにおいて、横方向に連接されて仮囲いを構築する木製パネルの上下、左右側端の木口部にアルミ、アルミ合金、ステンレス等の耐蝕性金属材からなる金具を取付け、隣接する前記木製パネルの連接部に対応する前記金具にずれ止めを形成することを特徴とする。【選択図】図５
2011058200.tif 000002
【特許請求の範囲】
【請求項１】
横方向に連接されて仮囲いを構築する木製パネルの上下、左右側端の木口部にアルミ、アルミ合金、ステンレス等の耐触性金属材からなる金具を取付け、隣接する前記木製パネルの接合部に対応する前記金具にずれ止めを形成することを特徴とする仮囲い用木製パネル。
【請求項２】
前記木口部と前記金具との間に木口部からの雨水等の浸入を防止し、且つ、前記金具を前記木口部に固定する接着性シーリング材を充填することを特徴とする請求項１に記載の仮囲い用木製パネル。
【請求項３】
前記木口部に前記金具を木ネジ等の固定具により固定することを特徴とする請求項１または２に記載の仮囲い用木製パネル。
腐蝕
【発明の詳細な説明】
【技術分野】
【０００１】
本発明は、建設現場などの仮囲い用木製パネルに関する。
【背景技術】
【０００２】
建設工事現場などの仮囲いは、幅３０〜５０ｃｍ、長さ２００〜４００ｃｍの薄鋼板パネルを、その隣接する側縁部同士を嵌合させた状態で用いるのが一般的である。
【０００３】
また、鋼板の代替として木質材料を仮囲いのパネルとして使用することが、ＣＯ2の削減などの環境問題、また、間伐材の有効利用の観点から要望されている。
【先行技術文献】
【特許文献】
【０００４】
【特許文献１】特開２００４−５２５３２号公報
【特許文献２】特開２００６−９４３１号公報
【発明の概要】
【発明が解決しようとする課題】
【０００５】
薄鋼板パネルの連接による仮囲いは、通行人の安全の確保や部外者の視界遮断のという目的は達成できるものの、仮囲いの表面から受ける印象が殺伐としたものであり、周囲の美的環境を損なうものであった。
【０００６】
また、木質材料のパネルによる仮囲いは、表面が木質であるため自然で柔らかい印象を与えるが、木質材料のパネルの木口部からの雨水の浸入、日射によるによる劣化や、パネルの反りやひび割れの発生の恐れがあり、長期間の使用には不向きであるという問題と、木製パネルを連接して使用する場合、複数の木製パネルを横方向にきれいに整列させて施工するのが困難であるという施工性の問題を有するものであった。
【０００７】
本発明は、従来技術の持つ課題を解決する、耐久性を有し長期間使用が可能で施工性に優れた仮囲い用木製パネルを提供することを目的とする。
【課題を解決するための手段】
【０００８】
本発明の仮囲い用木製パネルは、前記課題を解決するために、横方向に連接されて仮囲いを構築する木製パネルの上下、左右側端の木口部にアルミ、アルミ合金、ステンレス等の耐蝕性金属材からなる金具を取付け、隣接する前記木製パネルの連接部に対応する前記金具にずれ止めを形成することを特徴とする。
【０００９】
また、本発明の仮囲い用木製パネルは、前記木口部と前記金具との間に木口部からの雨水等の浸入を防止し、且つ、前記金具を前記木口部に固定する接着性シーリング材を充填することを特徴とする。
【００１０】
また、本発明の仮囲い用木製パネルは、前記木口部に前記金具を木ネジ等の固定具により固定することを特徴とする。
【発明の効果】
【００１１】
横方向に連接されて仮囲いを構築する木製パネルの上下、左右側端の木口部にアルミまたはステンレス等の耐蝕触性金属材からなる金具を取付け、隣接する前記木製板材の連接部に対応する前記金具にずれ止めを形成する構成により、金具により木製パネルが補強されると共に、木製パネルを横方向に連接して仮囲いを構築する際、隣接する木製パネルの連接部が金具に形成されたずれ止めによりきれいに整列して連接が可能となり、施工性が向上する。
木口部と金具との間に木口部からの雨水等の浸入を防止し、且つ、前記金具を前記木口部に固定する接着性シーリング材を充填する構成により、木製パネルの木口部からの雨水の浸入が防止され、木製パネルの木口部のひび割れ、欠損を防止し、長期間使用可能な仮囲い用木製パネルとすることが可能となる。
木口部に前記金具を木ネジ等の固定具により固定する構成により、金具を木製パネルの木口部により確実に固定することが可能となる。
【図面の簡単な説明】
【００１２】
【図１】本発明の実施の形態を示す図である。
【図２】本発明の実施の形態を示す図である。
【図３】本発明の実施の形態を示す図である。
【図４】本発明の実施の形態を示す図である。
【図５】本発明の実施の形態を示す図である。
【図６】本発明の実施の形態を示す図である。
【図７】本発明の実施の形態を示す図である。
【図８】本発明の実施の形態を示す図である。
【図９】本発明の実施の形態を示す図である。
【図１０】本発明の実施の形態を示す図である。
【発明を実施するための形態】
【００１３】
本発明の実施の形態を図により説明する。図１は、木製パネル１により構築された仮囲いの概略を示す図である。
【００１４】
建設工事現場等を取り囲む仮囲いは、複数の木製パネル１を横方向に連接し、内側に例えば上中下３段の水平支柱１０を取付け、水平支柱１０を斜め支柱１０で支持し、地面に打込んだ杭等により支持される。
【００１５】
図２は、複数の木製パネル１を横方向に連接した状態を示す図である。木製パネル１の寸法は、幅３０〜５０ｃｍ、長さ２００〜４００ｃｍ程度である。このように木製パネル１を大型化するために、木製パネル１を合板またはＬＶＬ（単板積層材）で形成するのが好ましい。木製パネル１の上下端の木口部には、アルミ、アルミ合金、ステンレス等の耐蝕性金属材により形成された上端部金具２ａと下端部金具２ｂが取り付けられる。また、木製パネル１の左右側端の木口部には左側端部金具２ｃと右側端部金具２ｄが取り付けられる。隣接する木製パネル１の右側端部金具２ｄと左側端部金具２ｃが連接される。上下端部、左右側端部の金具２ａ、２ｂ、２ｃ、２ｄを着色してカラー金具とすることにより、デザイン的に優れた仮囲いとすることが可能となる。
【００１６】
図３は、木製パネル１の木口部に金具２を取り付ける状態を示す図である。金具２は、断面コ字形に形成される。木製パネル１の木口部と金具２との間にエポキシ系等の接着性シーリング材３を充填する。接着性シーリング材３は、金具２を木製パネル１の木口部に固定する機能と、充填された接着性シーリング材３が木製パネル１の木口部からの雨水の浸入を防止する機能を有する。さらに、木製パネル１の木口部と金具２とを木ネジ等の固定具４により固定することにより、木製パネル１の木口部と金具２の固定をより確実にすることができる。
【００１７】
図４は、木製パネル１の木口部に固定される金具２の一形状を示す。図４に示される金具２にはずれ止め機能は形成されておらず、木製パネル１の連接に拘わらない上下端部金具２ａ、２ｂや、左右側端部金具２ｃ、２ｄに用いられる。
【００１８】
図５は、隣接する木製パネル１を連接する左右側端部金具２ｃ、２ｄにずれ止め５を形成した第１実施形態を示す図である。この実施形態では、連接される一方の木製パネル１の右側端部金具２ｄに凹曲面を形成し、他方の木製パネル１の左側端部金具２ｃに凸曲面を形成し、凹曲面と凸曲面とを係合させずれ止め５とするものである。
【００１９】
図６は、隣接する木製パネル１を連接する左右側端部金具２ｃ、２ｄにずれ止め５を形成した第２実施形態を示す図である。この実施形態では、連接される一方の木製パネル１の右側端部金具２ｄの一部に凹曲面を形成し、他方の木製パネル１の左側端部金具２ｃの一部に凸曲面５を形成し、凹曲面と凸曲面とを係合させずれ止め５とするものである。
【００２０】
図７は、隣接する木製パネル１を連接する左右側端部金具２ｃ、２ｄにずれ止め５を形成した第３実施形態を示す図である。この実施形態では、連接される一方の木製パネル１の右側端部金具２ｄに段差部を形成し、他方の木製パネル１の左側端部金具２ｃに右側端部金具２ｄに形成した段差部と逆の段差部を形成し、段差部同士を係合させずれ止め５とするものである。
【００２１】
図８は、隣接する木製パネル１を連接する左右側端部金具２ｃ、２ｄにずれ止め５を形成した第４実施形態を示す図である。この実施形態では、連接される一方の木製パネル１の右側端部金具２ｄの一部に凹部を形成し、他方の木製パネル１の左側端部金具２ｃの一部に凸部を形成し、凹部と凸部を係合してずれ止め５とするものである。
【００２２】
図９は、隣接する木製パネル１を連接する左右側端部金具２ｃ、２ｄにずれ止め５を形成した第５実施形態を示す図である。この実施形態では、連接される一方の木製パネル１の右側端部金具２ｄは図４に示される金具２と同様の形状をしており、他方の木製パネル１の左側端部金具２ｃの両側に突出部を形成し、左側端部金具２ｄの両側の突出部が右側端部金具２ｄの両側と係合してずれ止め５を形成する。
【００２３】
図１０は、隣接する木製パネル１を連接する左右側端部金具２ｃ、２ｄにずれ止め５を形成した第６実施形態を示す図である。この実施形態では、連接される一方の木製パネル１の右側端部金具２ｄは図９と同様の形状をしており、他方の木製パネル１の左側端部金具２ｃの片側に突出部を形成し、左側端部金具２ｄの片側の突出部が右側端部金具２ｄの側部と係合してずれ止め５を形成する。
【００２４】
以上のように、本発明の仮囲い用木製パネルによれば、金具により木製パネルが補強されると共に、木製パネルを横方向に連接して仮囲いを構築する際、隣接する木製パネルの連接部が金具に形成されたずれ止めによりきれいに整列して連接が可能となり、施工性が向上し、木製パネルの木口部からの雨水の浸入が防止され、木製パネルの木口部のひび割れ、欠損を防止し、長期間使用可能な仮囲い用木製パネルとすることが可能となる。
【符号の説明】
【００２５】
１： 木製パネル、２：金具、２ａ：上端部金具、２ｂ：下端部金具、２ｃ：左側端部金具、２ｄ：右側端部金具、３：接着性シーリング材、４：固定具、５：ずれ止め、１０：支柱
【図１】
2011058200.tif 000003
【図２】
2011058200.tif 000004
【図３】
2011058200.tif 000005
【図４】
2011058200.tif 000006
【図５】
2011058200.tif 000007
【図６】
2011058200.tif 000008
【図７】
2011058200.tif 000009
【図８】
2011058200.tif 000010
【図９】
2011058200.tif 000011
【図１０】
2011058200.tif 000012